(57)【要約】【課題】互いに異なるネットワーク間を接続する接続装置の機能に影響されることなく、互いに異なるネットワーク間で通信を確実に行い得る通信システムを提供する。【解決手段】電話端末Ｔ１１，Ｔ２１間で通話を行なう際に、ＲＴＰパケットを受信した電話端末Ｔ２１にて、このＲＴＰパケットに付加されている送信元のＩＰアドレス及びポート番号情報を抽出し、このＩＰアドレス及びポート番号情報を電話端末Ｔ１１に送信すべくＲＴＰパケットに付加して送信するようにしている。【選択図】      図１
2006019968.tif 000002
【特許請求の範囲】
【請求項１】
リアルタイム性が要求される通信パケットを伝送すべく複数の通信チャネルを有する内部通信ネットワークに接続される第１の通信端末と、前記内部通信ネットワークに比して広いエリアに配置され、前記通信チャネルを有する外部通信ネットワークに接続される第２の通信端末と、前記内部通信ネットワークと前記外部通信ネットワークとの間を接続する接続装置とを具備し、
前記第１の通信端末は、
前記第１の通信端末と前記第２の通信端末との間を接続する通信チャネルが決定されたとき、通信データに前記第１の通信端末を識別するための第１の送信先識別情報及び前記第２の通信端末を識別するための第１の送信元識別情報を付加して前記通信パケットを生成し、送信する送信手段を備え、
前記接続装置は、
前記通信パケットが入力された場合に、前記通信データに送信先識別情報、前記接続装置を識別するための中継識別情報及び送信元識別情報を付加した基準パケットに従って、前記通信パケットに前記中継識別情報を付加して送信先に送信する情報付加手段を備え、
前記第２の通信端末は、
前記外部通信ネットワークを介して通信パケットが入力された場合に、前記通信パケットに付加される前記第１の送信元識別情報を抽出する情報抽出手段と、
抽出した前記第１の送信元識別情報を記録媒体に一時保持する保持手段と、
前記第１の通信端末に送信すべく通信データに対し、前記記録媒体上の前記第１の送信元識別情報を前記第２の送信先識別情報として付加し、前記自己端末を識別するための第２の送信元識別情報を付加して前記外部通信ネットワークの通信チャネル上に送出する処理手段とを備えたことを特徴とする通信システム。
【請求項２】
前記第１の通信端末は、前記第２の通信端末からの通信パケットを受信するまで、前記第２の通信端末へ送信すべく通信パケットの送信を停止することを特徴とする請求項１記載の通信システム。
【請求項３】
前記内部通信ネットワーク及び前記外部通信ネットワークが、前記通信パケットに比してリアルタイム性が要求されず、かつ前記第１の通信端末と前記第２の通信端末との間を接続する通信チャネルを決定するために必要な制御信号を伝送する制御チャネルを有するとき、
前記処理手段は、前記制御信号の送受結果に基づいて、前記第１の通信端末に送信すべく通信パケットを生成して前記外部通信ネットワークに送信することを特徴とする請求項１記載の通信システム。
【請求項４】
前記制御信号に前記第１の通信端末を識別するための第３の送信元識別情報が付加されているとき、
前記処理手段は、前記記録媒体上に保持される前記第１の送信元識別情報と前記制御信号の受信時に得られる第３の送信元識別情報とを比較し、情報の少なくとも一部が一致した場合に前記第３の送信元識別情報を前記第２の送信先情報として前記第１の通信端末に送信すべく通信データに付加することを特徴とする請求項３記載の通信システム。
【請求項５】
前記制御信号に前記第１の通信端末を識別するための第３の送信元識別情報が付加されているとき、
前記処理手段は、前記記録媒体上に保持される前記第１の送信元識別情報と前記制御信号の受信時に得られる第３の送信元識別情報とを比較し、情報の少なくとも一部が一致した場合に前記第１の送信元識別情報を前記第２の送信先情報として前記第１の通信端末に送信すべく通信データに付加することを特徴とする請求項３記載の通信システム。
【請求項６】
前記第１及び第３の送信元識別情報が、前記第１の通信端末に対し前記内部通信ネットワークを使用するために必要なアドレス情報と、前記第１の通信端末内部の制御に必要なポート番号情報との組み合わせ情報であるとき、
前記処理手段は、アドレス情報のみが一致した場合に前記第３の送信元識別情報を前記第２の送信先識別情報として前記第１の通信端末に送信すべく通信データに付加することを特徴とする請求項４記載の通信システム。
【請求項７】
前記第１及び第３の送信元識別情報が、前記第１の通信端末に対し前記内部通信ネットワークを使用するために必要なアドレス情報と、前記第１の通信端末内部の制御に必要なポート番号情報との組み合わせ情報であるとき、
前記処理手段は、ポート番号情報のみが一致した場合に前記第１の送信元識別情報を前記第２の送信先情報として前記第１の通信端末に送信すべく通信データに付加することを特徴とする請求項５記載の通信システム。
【請求項８】
前記処理手段は、前記外部通信ネットワークから到来する前記通信パケットの内容に基づいて、前記第１の通信端末に送信すべく通信パケットを送信することを特徴とする請求項１記載の通信システム。
【請求項９】
前記第１及び第２の通信端末は、前記内部通信ネットワーク及び前記外部通信ネットワーク上に２以上の通信チャネルを介して接続されることを特徴とする請求項１記載の通信システム。
【請求項１０】
前記通信パケットは、音声パケット及びデータパケットのいずれか一方であること特徴とする請求項１記載の通信システム。
【請求項１１】
リアルタイム性が要求される通信パケットを伝送すべく複数の通信チャネルを有する内部通信ネットワークに接続される第１の通信端末と、前記内部通信ネットワークに比して広いエリアに配置され、前記通信チャネルを有する外部通信ネットワークに接続される第２の通信端末と、前記内部通信ネットワークと前記外部通信ネットワークとの間を接続する接続装置とを備えた通信システムで前記第２の通信端末として使用される通信端末装置であって、
前記外部通信ネットワークを介して通信パケットが入力された場合に、前記通信パケットに付加され、前記第１の通信端末を識別するための前記第１の送信元識別情報を抽出する情報抽出手段と、
抽出した前記第１の送信元識別情報を記録媒体に一時保持する保持手段と、
前記第１の通信端末に送信すべく通信データに対し、前記記録媒体上の前記第１の送信元識別情報を前記第２の送信先識別情報として付加し、前記自己端末を識別するための送信元識別情報を付加して前記外部通信ネットワークの通信チャネル上に送出する処理手段とを具備したことを特徴とする通信端末装置。
【請求項１２】
リアルタイム性が要求される通信パケットを伝送すべく複数の通信チャネルを有する内部通信ネットワークに接続される第１の通信端末と、前記内部通信ネットワークに比して広いエリアに配置され、前記通信チャネルを有する外部通信ネットワークに接続される第２の通信端末と、前記内部通信ネットワークと前記外部通信ネットワークとの間を接続する接続装置とを具備した通信システムで使用される通信方法であって、
第１の通信端末と前記第２の通信端末との間を接続する通信チャネルが決定されたとき、第１の通信端末において、通信データに前記第１の通信端末を識別するための第１の送信先識別情報及び前記第２の通信端末を識別するための第１の送信元識別情報を付加して前記通信パケットを生成し、接続装置に送信し、
前記接続装置において、前記通信パケットが入力された場合に、該通信パケットが前記通信データに送信先識別情報、前記接続装置を識別するための中継識別情報及び送信元識別情報を付加した基準パケットに従って、前記通信パケットに前記中継識別情報を付加して送信先に送信し、
前記第２の通信端末において、前記外部通信ネットワークを介して通信パケットが入力された場合に、前記通信パケットに付加される前記第１の送信元識別情報を抽出し、
抽出した前記第１の送信元識別情報を記録媒体に一時保持し、
前記第１の通信端末に送信すべく通信データに対し、前記記録媒体上の前記第１の送信元識別情報を前記第２の送信先識別情報として付加し、前記自己端末を識別するための第２の送信元識別情報を付加して前記外部通信ネットワークの通信チャネル上に送出することを特徴とする通信方法。
【発明の詳細な説明】
【技術分野】
【０００１】
この発明は、例えばＩＰ(Internet Protocol)電話システム等のように、ＩＰ網を介して電話端末間で音声通信を行なうシステムに係り、特にグローバルネットワークに接続される電話端末とプライベートネットワークに接続される電話端末との間で通信を行なう通信システム及びこの通信システムで使用される通信端末装置、及び通信システムで使用される通信方法に関する。
【背景技術】
【０００２】
近年、パケット網を介して、双方向に画像や音声をパケットデータとして、リアルタイムに送受信するネットワーク電話システム（ＩＰ電話システム）が普及し始めている。このＩＰ電話システムでは、ＬＡＮ(Local Area Network)等のプライベートネットワークに複数のＩＰ電話端末を収容するとともに、プライベートネットワークをルータ装置を介して公衆網等のグローバルネットワークに接続し、ルータ装置においてプロトコル変換やアドレス変換等を行なうことによりＩＰ電話端末相互間及びＩＰ電話端末とグローバルネットワークとの間でマルチメディア情報通信を可能としている。
【０００３】
ところで、上記システムでは、ルータ装置にＮＡＴ(Network Address Translator)機能を搭載している。ＮＡＴ機能とは、接続用に予め割り当てられた一つのＩＰアドレスを用いて、プライベートアドレスをグローバルアドレスに変換して送信元ＩＰアドレスとして送出し、受信において供給される宛先ＩＰアドレスのグローバルアドレスをプライベートアドレスに変換する機能である。このようなＮＡＴ機能は、ＲＦＣ(Request For Comments)１６３１で規定されている（例えば、特許文献１乃至３）。
【特許文献１】特開２００３−２８９３１８公報
【特許文献２】特開２００２−３６８７７３公報
【特許文献３】特開２００３−３２４４８２公報。
【発明の開示】
【発明が解決しようとする課題】
【０００４】
ところで、上記システムでは、通信時に制御チャネルとは別にメディアチャネルを開設する通信などでは、ルータ装置において自アドレスを通信データの中に含めて送信するため、アドレス変換を行なうことができずにそのまま相手先に送信されてしまう。このために、着信側となるＩＰ電話端末では受信したアドレス情報を利用してメディアチャネルを開設しようとしても正しくアドレス変換されないためメディアチャネルを開設することができなくなってしまい、結果通信することが不可能になってしまう。
【０００５】
そこで、この発明の目的は、互いに異なるパケット通信ネットワーク間を接続する接続装置の機能に影響されることなく、互いに異なるパケット通信ネットワーク間で通信を確実に行い得る通信システム及びこの通信システムで使用される通信端末装置、及び通信システムで使用される通信方法を提供することにある。
【課題を解決するための手段】
【０００６】
この発明は、上記目的を達成するために、以下のように構成される。  
リアルタイム性が要求される通信パケットを伝送すべく複数の通信チャネルを有する内部通信ネットワークに接続される第１の通信端末と、内部通信ネットワークに比して広いエリアに配置され、通信チャネルを有する外部通信ネットワークに接続される第２の通信端末と、内部通信ネットワークと外部通信ネットワークとの間を接続する接続装置とを具備し、第１の通信端末は、第１の通信端末と第２の通信端末との間を接続する通信チャネルが決定されたとき、通信データに第１の通信端末を識別するための第１の送信先識別情報及び第２の通信端末を識別するための第１の送信元識別情報を付加して通信パケットを生成し、送信する送信手段を備え、接続装置は、通信パケットが入力された場合に、該通信パケットが通信データに送信先識別情報、接続装置を識別するための中継識別情報及び送信元識別情報を付加した基準パケットに従って、通信パケットに中継識別情報を付加して送信先に送信する情報付加手段を備え、第２の通信端末は、外部通信ネットワークを介して通信パケットが入力された場合に、通信パケットに付加される第１の送信元識別情報を抽出する情報抽出手段と、抽出した第１の送信元識別情報を記録媒体に一時保持する保持手段と、第１の通信端末に送信すべく通信データに対し、記録媒体上の第１の送信元識別情報を第２の送信先識別情報として付加し、自己端末を識別するための第２の送信元識別情報を付加して外部通信ネットワークの通信チャネル上に送出する処理手段とを備えるようにしたものである。
【０００７】
この構成によれば、通信パケットを受信した第２の通信端末は、この通信パケットに付加されている第１の送信元識別情報を抽出することにより、この第１の送信元識別情報から通信パケットを返送する第１の電話端末を認識することができる。このため、接続装置に特別な機能を設ける必要がなく、また接続装置から特別な情報を取得する必要がなく、互いに異なるネットワーク間でパケット通信を行なうことができる。これにより、接続装置本体の改修が不要となるので、システム全体の低コスト化を維持でき、また接続装置の処理負荷の軽減を図ることができる。
【０００８】
第１の通信端末は、第２の通信端末からの通信パケットを受信するまで、第２の通信端末へ送信すべく通信パケットの送信を停止することを特徴とする。  
この構成によれば、第２の通信端末における第１の送信元識別情報の抽出に要する時間を考慮して第１の通信端末と第２の通信端末との間の通信を第１の通信端末と第２の通信端末とが協働して効率良く実行でき、これにより１つの通信チャネルを第１の通信端末と第２の通信端末とで共用する場合にその有効利用率を高めることができる。
【０００９】
内部通信ネットワーク及び外部通信ネットワークが、通信パケットに比してリアルタイム性が要求されず、かつ第１の通信端末と第２の通信端末との間を接続する通信チャネルを決定するために必要な制御信号を伝送する制御チャネルを有するとき、処理手段は、制御信号の送受結果に基づいて、第１の通信端末に送信すべく通信パケットを生成して外部通信ネットワークに送信することを特徴とする。なお、制御信号に第１の通信端末を識別するための第３の送信元識別情報が付加されているとき、処理手段は、記録媒体上に保持される第１の送信元識別情報と制御信号の受信時に得られる第３の送信元識別情報とを比較し、情報の少なくとも一部が一致した場合に第３の送信元識別情報を第２の送信先情報として第１の通信端末に送信すべく通信データに付加するようにしている。また、第１及び第３の送信元識別情報が、第１の通信端末に対し内部通信ネットワークを使用するために必要なアドレス情報と、第１の通信端末内部の制御に必要なポート番号情報との組み合わせ情報であるとき、処理手段は、アドレス情報のみが一致した場合に第３の送信元識別情報を第２の送信先情報として第１の通信端末に送信すべく通信データに付加するようにしている。
【００１０】
この構成によれば、通信確立要求のような既存の制御信号を利用して第２の通信端末にて通信パケットの送信元となる第１の通信端末を認識することができ、これにより既知の簡単な手順により第１の通信端末と第２の通信端末との間で通信を行なうことができる。また、制御信号の送受信時に指定されるポート番号と到来した通信パケットのポート番号とが異なる場合に、制御信号の送受信時に指定されるポート番号を利用して、第１の通信端末へ通信パケットが返送されることになるので、第１の通信端末と第２の通信端末との間で誤った通信や不正な通信が行なわれないようにすることができる。
【００１１】
制御信号に第１の通信端末を識別するための第３の送信元識別情報が付加されているとき、処理手段は、記録媒体上に保持される第１の送信元識別情報と制御信号の受信時に得られる第３の送信元識別情報とを比較し、情報の少なくとも一部が一致した場合に第１の送信元識別情報を第２の送信先情報として第１の通信端末に送信すべく通信データに付加することを特徴とする。特に、第１及び第３の送信元識別情報が、第１の通信端末に対し内部通信ネットワークを使用するために必要なアドレス情報と、第１の通信端末内部の制御に必要なポート番号情報との組み合わせ情報であるとき、処理手段は、ポート番号情報のみが一致した場合に第１の送信元識別情報を第２の送信先情報として第１の通信端末に送信すべく通信データに付加するようにしている。
【００１２】
この構成によれば、１つのポートを互いにアドレスが異なる複数の通信端末で共用する場合に、通信パケットに付加される送信元識別情報を利用して、通信パケットを送信元に返送するようにしているので、通信端末ごとに適切な通信処理を行なうことができる。
【００１３】
処理手段は、外部通信ネットワークから到来する通信パケットの内容に基づいて、第１の通信端末に送信すべく通信パケットを送信することを特徴とする。  
この構成によれば、第２の通信端末にて通信パケットの内容がチェックされ、これにより通信パケットが正しいものであるか否かを確実に判断することができる。
【００１４】
第１及び第２の通信端末は、内部通信ネットワーク及び外部通信ネットワーク上に２以上の通信チャネルを介して接続されることを特徴とする。  
この構成によれば、第１の通信端末と第２の通信端末との間で音声パケットとデータパケットの通信を行なう場合に、音声パケットの転送とデータパケットの転送とをそれぞれ独立して並列的に制御することができ、これにより音声パケットの転送とデータパケットの転送とを相互に影響を及ぼすことなく確実に行なうことができる。
【発明の効果】
【００１５】
以上詳述したようにこの発明によれば、互いに異なるネットワーク間を接続する接続装置の機能に影響されることなく、互いに異なるネットワーク間で通信を確実に行い得る通信システム及びこの通信システムで使用される通信端末装置、及び通信システムで使用される通信方法を提供することができる。
【発明を実施するための最良の形態】
【００１６】
以下、この発明の実施形態について図面を参照して詳細に説明する。  
（第１の実施形態）  
図１は、この発明の第１の実施形態に係わる通信システムを示す概略構成図である。  
このシステムは、プライベートネットワークとしてのＬＡＮ（Local Area Network）１を有する。ＬＡＮ１には、複数の電話端末Ｔ１１〜Ｔ１ｉ（ｉは自然数）が接続されている。なお、電話端末Ｔ１１〜Ｔ１ｉは、通話処理機能とメディア情報処理機能とを備えたＩＰ電話端末である。また、ＬＡＮ１には、複数のメディアチャネルとこのメディアチャネルを決定するために必要な制御信号を伝送する制御チャネルを有している。
【００１７】
また、ＬＡＮ１には、接続装置としてのルータＲＴが接続されている。このルータＲＴは、ＬＡＮ１とグローバルネットワークとしてのＩＰ網ＮＷとの間における通信プロトコル及びアドレスの変換機能を備えている。
【００１８】
さらにＬＡＮ１には、サーバからなるゲートキーパＧＫが接続されている。このゲートキーパＧＫは、複数の電話端末Ｔ１１〜Ｔ１ｉ及びルータＲＴに対する交換制御機能と、各電話端末Ｔ１１〜Ｔ１ｉ及びルータＲＴに対するＩＰアドレスの割り当て機能と、各電話端末Ｔ１１〜Ｔ１ｉ及びルータＲＴに割り当てたアドレスの管理機能とを有している。
【００１９】
ＩＰ網ＮＷには電話端末Ｔ２１が接続されている。なお、電話端末Ｔ２１は、通話処理機能とメディア情報処理機能とを備えたＩＰ電話端末である。
【００２０】
ところで、上記電話端末Ｔ２１は、次のように構成される。図２は、上記電話端末Ｔ２１の機能構成を示すブロック図である。
【００２１】
電話端末Ｔ２１は、網インタフェース（Ｉ／Ｆ）部１１と、音声信号処理部１２と、音声入出力インタフェース（Ｉ／Ｆ）部１３と、制御部１４と、操作パネル１５と、記憶部１６とを備えている。
【００２２】
網インタフェース部１１は、ＩＰ網ＮＷに関するインタフェース動作を行なう。つまり、網インタフェース部１１は、ＩＰ網ＮＷから送られてきた伝送パケットから音声パケットや制御データを抽出し、音声パケットを音声信号処理部１２へ、また制御データを制御部１４へと与える。また網インタフェース部１１は、音声信号処理部１２から与えられる音声パケットに制御部１４から与えられるデータを多重して、ＩＰ網ＮＷに送信する。
【００２３】
音声信号処理部１２は、網インタフェース部１１から与えられる音声パケットをアナログの受話音声信号に変換して音声入出力インタフェース部１３に与える。また、音声信号処理部１２は、音声入出力インタフェース部１３から入力された送話音声信号をＩＰ網ＮＷで取り扱い可能な音声パケットに変換して網インタフェース部１１に与える。
【００２４】
音声入出力インタフェース部１３には、マイクロホン１７及びスピーカ１８が接続されている。音声入出力インタフェース部１３は、マイクロホン１７により入力された送話音声信号を音声信号処理部１２に入力すると共に、音声信号処理部１２から出力された受話音声信号をスピーカ１８から拡声出力する。
【００２５】
制御部１４は、ソフトウェア処理により電話端末Ｔ２１の各部の制御やＩＰ網ＮＷとの間での通信処理を行なう。
【００２６】
操作パネル１５は、キースイッチやＬＣＤ等を有し、ユーザによる制御部１４に対する各種の指示入力を受け付け、またユーザに対する各種の情報報知を行なう。
【００２７】
ところで、制御部１４は、情報抽出機能１４１と、情報記録機能１４２と、情報処理機能１４３とを備えている。情報抽出機能１４１は、ＩＰ網ＮＷを介してＲＴＰパケットが入力された場合に、ＲＴＰパケットに付加される送信元のＩＰアドレス及びポート番号情報を抽出する。
【００２８】
情報記録機能１４２は、抽出した送信元のＩＰアドレス及びポート番号情報を記憶部１６に一時記録する。情報処理機能１４３は、送信元に送信すべく通信データに対し、記憶部１６上のＩＰアドレス及びポート番号情報を付加し、自己端末のＩＰアドレス及びポート番号情報を付加してＩＰ網ＮＷの通信チャネル上に送出する。このとき、ネゴシエーション時に指定されたＩＰアドレス及びポート番号情報に一致するか否かの判断を行ない、ポート番号情報のみが一致する場合に、ＲＴＰパケットに付加された送信元のＩＰアドレス及びポート番号情報を利用する。
【００２９】
また、上記電話端末Ｔ１１〜Ｔ１ｉは、電話端末Ｔ２１との間を接続するメディアチャネルが決定されたとき、通信データに自己端末を識別するためのＩＰアドレス、ポート番号情報、及び電話端末Ｔ２１を識別するためのＩＰアドレス、ポート番号情報を付加して通信パケットを生成し、送信する機能を有している。
【００３０】
さらに、ルータＲＴは、ＬＡＮ１とＩＰ網ＮＷとの間にメディアチャネルが確立された後に、ＲＴＰパケットが入力された場合に、該ＲＴＰパケットがＲＦＣ１６３１で規定されているパケットであるか否かを判定し、このＲＦＣ１６３１に従って、ＲＴＰパケットに自己のＩＰアドレスを付加して送信先に送信する機能を有している。
【００３１】
次に、上記構成における動作について説明する。図３は、例えば電話端末Ｔ１１，Ｔ２１間でメディアチャネルを決定する際のネゴシエーションを示すシーケンス図である。  
例えばＩＰ網ＮＷに接続された電話端末Ｔ２１のユーザが、ＬＡＮ１に接続された電話端末Ｔ１１と通話を行なうために、電話端末Ｔ１１に対する発信操作を行なったとする。そうすると、電話端末Ｔ２１からルータＲＴに対しＩＰ網ＮＷ上の制御チャネルを介して通信確立要求信号が送られる。この通信確立要求信号には、着信先のＩＰアドレス及びポート番号と発信元のＩＰアドレスとポート番号とが含まれている。
【００３２】
この通信確立要求信号を受信したルータＲＴは、通信確立要求信号をゲートキーパＧＫに転送し、ゲートキーパＧＫにてルーティング情報を参照して、着信先に対応する電話端末Ｔ１１に対してＬＡＮ１を介して通信確立要求信号を送信する。
【００３３】
この通信確立要求信号を受信した電話端末Ｔ１１では、鳴音が発生されるか又は着信表示が行なわれ、これによりユーザに対し着信の発生が報知される。そして、この着信報知に対しユーザが応答操作を行なうと、電話端末Ｔ１１は応答信号をルータＲＴへ送信し、この応答信号を受信したルータＲＴはＩＰ網ＮＷに対して応答信号を送信する。このとき、電話端末Ｔ２１は、記憶部１６に電話端末Ｔ１１のＩＰアドレス及び使用するポート番号情報を記録する。
【００３４】
かくして、発信元の電話端末Ｔ２１と着信先の電話端末Ｔ１１との間には通信路、つまりメディアチャネルが決定され、以後両電話端末Ｔ１１，Ｔ２１間では音声通信が可能となる。
【００３５】
ここで、電話端末Ｔ１１にユーザの音声が入力されたとする。すると、電話端末Ｔ１１は、図４（ａ）に示すように、音声データに送信先のＩＰアドレス、ポート番号及び送信元のＩＰアドレス、ポート番号を付加したＲＴＰパケットをルータＲＴに送信する。
【００３６】
ルータＲＴは、入力されたＲＴＰパケットがＲＦＣ１６３１で規定されているパケットであるか否かを判定する。そして、規定パケット以外であれば、図４（ｂ）に示すように、ＲＴＰパケットに自己のＩＰアドレスを付加して、電話端末Ｔ２１に送信する。
【００３７】
電話端末Ｔ２１は、ＩＰ網ＮＷからＲＴＰパケットが到来すると、図５に示す処理手順を開始する。  
電話端末Ｔ２１において、制御部１４はＲＴＰパケットを取り込むと（ステップＳＴ５ａ）、このＲＴＰパケットから送信元のＩＰアドレス情報及びポート番号情報を抽出し（ステップＳＴ５ｂ）、このＩＰアドレス情報及びポート番号情報を記憶部１６に記録する（ステップＳＴ５ｃ）。
【００３８】
そして、制御部１４は、マイクロホン１７に音声が入力されるか否かの判断を行なう（ステップＳＴ５ｄ）。ここで、音声が入力されたならば（Ｙｅｓ）、制御部１４は記憶部１６から送信元のＩＰアドレス及びポート番号情報を読み出し（ステップＳＴ５ｅ）、記憶部１６に記憶されているネゴシエーション時のＩＰアドレスと一致するか否かの判断を行なう（ステップＳＴ５ｆ）。
【００３９】
ここで、ＩＰアドレスが一致したならば（Ｙｅｓ）、制御部１４はネゴシエーション時に指定されたＩＰアドレス及びポート番号情報を音声データに付加してＲＴＰパケットを生成し（ステップＳＴ５ｇ）、ＩＰ網ＮＷのメディアチャネルに送出する。
【００４０】
一方、ＩＰアドレスが一致しなければ（Ｎｏ）、制御部１４はネゴシエーション時のポート番号情報と一致するか否かの判断を行なう（ステップＳＴ５ｈ）。ここで、ポート番号情報が一致したならば（Ｙｅｓ）、制御部１４は送信元のＩＰアドレス及びポート番号情報を音声データに付加してＲＴＰパケットを生成し（ステップＳＴ５ｉ）、ＩＰ網ＮＷのメディアチャネルに送出する。
【００４１】
一方、ポート番号が一致しなければ、制御部１４は規定に従っていないパケットの旨、つまりエラーである旨を送信元に通知する。
【００４２】
かくして、図４（ｃ）に示すように、電話端末Ｔ２１から送信されるＲＴＰパケットは、ルータＲＴ上で全く逆の変換がかけられ、これによりＲＴＰパケットが電話端末Ｔ１１に到達することになる。
【００４３】
なお、電話端末Ｔ２１において、上記ステップＳＴ５ａで、ＲＴＰパケットの内容をチェックし、規定に従わないパケットであれば破棄するようにしてもよい。
【００４４】
以上のように上記第１の実施形態では、電話端末Ｔ１１，Ｔ２１間で通話を行なう際に、ＲＴＰパケットを受信した電話端末Ｔ２１にて、このＲＴＰパケットに付加されている送信元のＩＰアドレス及びポート番号情報を抽出し、このＩＰアドレス及びポート番号情報を電話端末Ｔ１１に送信すべくＲＴＰパケットに付加して送信するようにしている。
【００４５】
すなわち、電話端末Ｔ２１では、ＲＴＰパケットを返送する際に、電話端末Ｔ１１から到来するＲＴＰパケットに付加されるＩＰアドレス及びポート番号情報より相手先の電話端末Ｔ１１を認識することができるので、ルータＲＴに特別な機能を設ける必要がなく、またルータＲＴから特別な情報を取得する必要がなく、互いに電話端末Ｔ１１，Ｔ２１間で通話を行なうことができる。
【００４６】
従って、ルータＲＴ本体の改修が不要となるので、システム全体の低コスト化を維持でき、またルータＲＴの処理負荷の軽減を図ることができる。
【００４７】
また、上記第１の実施形態では、通信確立要求信号のような既存の制御信号を利用して電話端末Ｔ２１にてＲＴＰパケットの送信元となる電話端末Ｔ１１を認識することができ、これにより既知の簡単な手順により電話端末Ｔ１１，Ｔ２１間で通話を行なうことができる。
【００４８】
また、電話端末Ｔ２１では、ネゴシエーション時に指定されるＩＰアドレスと到来したＲＴＰパケットのＩＰアドレスとが一致した場合に、ネゴシエーション時に指定されるＩＰアドレス及びポート番号情報を利用して、電話端末Ｔ１１へＲＴＰパケットが返送されることになるので、電話端末Ｔ１１，Ｔ２１間で誤った通信や不正な通信が行なわれないようにすることができる。このとき、ポート番号は異なっていてもよい。
【００４９】
さらに、上記第１の実施形態では、ＬＡＮ１、ＩＰ網ＮＷ上の１つのポートを互いにＩＰアドレスが異なる複数の電話端末Ｔ１１，Ｔ１２，Ｔ１３で共用している場合に、電話端末Ｔ２１にてＲＴＰパケットに付加される送信元のＩＰアドレス及びポート番号情報を利用して、ＲＴＰパケットを送信元に返送するようにしているので、返送すべきＲＴＰパケットを確実に電話端末Ｔ１１に返送することができる。また、電話端末Ｔ２１と電話端末Ｔ１１，Ｔ１２との間で３者通話を行なう場合にも、電話端末ごとに適切な通話処理を行なうことができる。
【００５０】
なお、上記第１の実施形態では、電話端末Ｔ１１〜Ｔ１ｉに電話端末Ｔ２１からのＲＴＰパケットを受信するまで、電話端末Ｔ２１へ送信すべくＲＴＰパケットの送信を停止する機能を持たせるようにしてもよい。このようにすれば、電話端末Ｔ２１における送信元のＩＰアドレス及びポート番号情報の抽出に要する時間を考慮して電話端末Ｔ１１と電話端末Ｔ２１との間の通話を電話端末Ｔ１１と電話端末Ｔ２１とが協働して効率良く実行でき、これにより１つのメディアチャネルを電話端末Ｔ１１，Ｔ２１間で共用する場合にその有効利用率を高めることができる。
【００５１】
（第２の実施形態）  
図６は、この発明の第２の実施形態に係わる通信システムを示す概略構成図である。なお、図６において、上記図１と同一部分には同一符号を付して詳細な説明を省略する。  
このシステムは、例えば電話端末Ｔ１１とＩＰ網ＮＷに接続される電話端末Ｔ２２との間を音声用チャネル及びデータ用チャネルにより接続されているものとする。この場合、電話端末Ｔ１１と電話端末Ｔ２２との間で、通話を行なうとともに、画像データや文字データ等のデータパケットの通信も同時に行なっている。
【００５２】
ところで、上記電話端末Ｔ２２は、次のように構成される。図７は、上記電話端末Ｔ２２の機能構成を示すブロック図である。なお、図７において、上記図２と同一部分には、同一符号を付して詳細な説明を省略する。
【００５３】
すなわち、制御部１４には、チャネル判定機能１４４が設けられている。チャネル判定機能１４４は、電話端末Ｔ１１との間で音声用チャネル及びデータ用チャネルにより接続される場合に、ＲＴＰパケットが到来するチャネルを判定し、チャネルごとに情報抽出機能１４１、情報記録機能１４２及び情報処理機能１４３をそれぞれ並列に実行させる。
【００５４】
このように第２の実施形態であれば、電話端末Ｔ１１と電話端末Ｔ２２との間で音声パケットとデータパケットの通信を行なう場合に、音声パケットの転送とデータパケットの転送とをそれぞれ独立して並列的に制御することができ、これにより音声パケットの転送とデータパケットの転送とを相互に影響を及ぼすことなく確実に行なうことができる。
【００５５】
（その他の実施形態）  
この発明は、上記各実施形態に限定されるものではない。例えば、上記第１の実施形態では、ＲＴＰパケットに付加される送信元のＩＰアドレス及びポート番号を利用して相手の電話端末にＲＴＰパケットを返送する例について説明したが、ＩＰアドレス及びポート番号のいずれか１つであってもよく、またＩＰアドレス及びポート番号以外の送信元の電話端末を識別するための識別情報であってもよい。この場合、ネゴシエーション時に指定される送信元の識別情報と比較する際に、少なくとも一部の情報が一致する場合に、ＲＴＰパケットに付加される送信元の識別情報を利用してＲＴＰパケットを返送するようにしてもよく、さらにネゴシエーション時に指定される送信元の識別情報を利用してＲＴＰパケットを返送するようにしてもよい。
【００５６】
また、上記第１の実施形態では、音声通信を行なう例について説明したが、データ通信にも適用できる。
【００５７】
また、上記各実施形態では、電話端末を例といして説明したが、例えば電話機能を有するパーソナル・コンピュータやサーバであってもよい。
【００５８】
さらに、上記各実施形態では、複数のメディアチャネル及び制御チャネルを有したＬＡＮ及びＩＰ網を備えるシステムについて説明したが、メディアチャネルのみを有するＬＡＮ及びＩＰ網を備えるシステムにも適用可能である。
【００５９】
その他、システムの構成及び種類、電話端末の構成、識別情報及び通信パケットの種類、ネゴシエーションに使用される制御信号の種類、ネゴシエーションの手順、通信パケットの返送処理等についても、この発明の要旨を逸脱しない範囲で種々変形して実施できる。
【図面の簡単な説明】
【００６０】
【図１】この発明の第１の実施形態に係わる通信システムを示す概略構成図。
【図２】同第１の実施形態において、ＩＰ網に接続される電話端末の機能構成を示すブロック図。
【図３】同第１の実施形態において、ＬＡＮに接続される電話端末と、ＩＰ網に接続される電話端末と、ルータとの間でメディアチャネルを決定する際のネゴシエーションを示すシーケンス図。
【図４】同第１の実施形態において、ＬＡＮに接続される電話端末と、ＩＰ網に接続される電話端末との間で行なわれるＲＴＰパケットのフォーマットを示す図。
【図５】同第１の実施形態において、ＩＰ網に接続される電話端末の処理手順を示すフローチャート。
【図６】この発明の第２の実施形態に係わる通信システムを示す概略構成図。
【図７】同第２の実施形態において、ＩＰ網に接続される電話端末の機能構成を示すブロック図。
【符号の説明】
【００６１】
１…ＬＡＮ、１１…網インタフェース部、１２…音声信号処理部、１３…音声入出力インタフェース部、１４…制御部、１５…操作パネル、１６…記憶部、１７…マイクロホン、１８…スピーカ、１４１…情報抽出機能、１４２…情報記録機能、１４３…情報処理機能、１４４…チャネル判定機能、ＧＫ…ゲートキーパ、Ｔ１１〜Ｔ１ｉ，Ｔ２１，Ｔ２２…電話端末、ＮＷ…ＩＰ網、ＲＴ…ルータ。
【図１】
2006019968.tif 000003
【図２】
2006019968.tif 000004
【図３】
2006019968.tif 000005
【図４】
2006019968.tif 000006
【図５】
2006019968.tif 000007
【図６】
2006019968.tif 000008
【図７】
2006019968.tif 000009